(57)【要約】      （修正有）【課題】高速道路の中央分離帯など、特に、橋梁上やトンネル内において、車両及び搭乗者に大きな損傷を与えずに、対向車線や路側帯への車両の進入を防止することができる道路標識柱用緩衝材を提供する。【解決手段】道路標識柱用緩衝材１は、発泡性合成樹脂材料により一体的に形成され、道路上に設置された複数の道路標識柱２がそれぞれ嵌入される複数の嵌入穴１００が下面部１０に設けられており、複数の嵌入穴１００に複数の道路標識柱２が嵌入されることにより複数の道路標識柱２を包含する緩衝壁を構成することを特徴とする。【選択図】図１
2019085809.tif 000002
【特許請求の範囲】
【請求項１】
発泡性合成樹脂材料により形成され、
道路上に設置された複数の道路標識柱がそれぞれ嵌入される複数の嵌入穴が下面部に設けられており、
前記複数の嵌入穴に前記複数の道路標識柱が嵌入されることにより、該複数の道路標識柱を包含する緩衝壁を構成することを特徴とする道路標識柱用緩衝材。
【請求項２】
前記発泡性合成樹脂材料は、発泡ウレタンであることを特徴とする請求項１記載の道路標識柱用緩衝材。
【請求項３】
前記発泡性合成樹脂材料には、耐候材料が配合されていることを特徴とする請求項１又は２記載の道路標識柱用緩衝材。
【請求項４】
前記嵌入穴の内径は、前記道路標識柱の外径よりも小さくなっており、
前記嵌入穴に前記道路標識柱が嵌入されたとき、該嵌入穴の周囲が弾性変形されていることを特徴とする請求項１、２又は３記載の道路標識柱用緩衝材。
【請求項５】
前記嵌入穴は、下方の開口端から上方に向けて徐々に内径が小さくなっており、少なくとも最上方部において前記道路標識柱の外径よりも内径が小さくなっており、
前記嵌入穴に前記道路標識柱が嵌入されたとき、該道路標識柱の上端側において、該嵌入穴の前記最上方部の周囲が弾性変形されていることを特徴とする請求項１、２又は３記載の道路標識柱用緩衝材。
【請求項６】
前記嵌入穴の内壁部と前記道路標識柱の外周面との間には、これらの間の空隙を埋めるジョイント材が配置されていることを特徴とする請求項１、２又は３記載の道路標識柱用緩衝材。
【請求項７】
前記緩衝壁の側面部には、車両の走行に関する有意の表示がなされていることを特徴とする請求項１〜６の何れかに記載の道路標識柱用緩衝材。
【発明の詳細な説明】
【技術分野】
【０００１】
本発明は、道路標識柱用緩衝材に関し、詳しくは、高速道路の中央分離帯、橋梁上、トンネルなどにおいて、車両及び搭乗者に大きな損傷を与えずに、対向車線や路側帯への車両の進入を防止することができる道路標識柱用緩衝材に関する。
【背景技術】
【０００２】
従来、鋼製パイプや、石柱、コンクリート柱などからなる道路標識柱が使用されている。これらは大きな剛性を有するため、これらに車両が衝突すると車両及び搭乗者が大きな損傷を被るという問題があった。
【０００３】
このような問題を解決するため、車両などが衝突すると屈曲して衝撃を吸収緩和できるようにした道路標識柱が提案されている（特許文献１）。
【０００４】
一方、高速道路の中央分離帯などにおいては、対向車線や路側帯への車両の進入を防止するため、ガードレールやガードワイヤが使用されている。
【先行技術文献】
【特許文献】
【０００５】
【特許文献１】特許第４２３８８００号公報
【発明の概要】
【発明が解決しようとする課題】
【０００６】
特許文献１に記載された道路標識柱は、車両が衝突したときに、屈曲して衝撃を緩和するとともに車両を停止させることができるとしているが、高速走行して衝突した車両を停止させる程度の十分な剛性を有するとは言えない。この道路標識柱は、時速５ｋｍ以下の小型車が接触した場合に、この小型車を停止させることを想定したものである。
【０００７】
ガードレールやガードワイヤは、高速道路の中央分離帯などにおいて、対向車線や路側帯への車両の進入を防止する効果がある。しかし、これらガードレールやガードワイヤは、それ自体の重量が大きいこともあって、十分な深さまで埋設された十分な太さを有する多数本の支柱（鉄柱）によって支持しなければならない。したがって、ガードレールやガードワイヤは、橋梁上やトンネル内に設置することが困難であった。
【０００８】
そこで、本発明の課題は、高速道路の中央分離帯、橋梁上、トンネルなどにおいて、車両及び搭乗者に大きな損傷を与えずに、対向車線や路側帯への車両の進入を防止することができる道路標識柱用緩衝材を提供することにある。
【０００９】
本発明の他の課題は、以下の記載によって明らかとなる。
【課題を解決するための手段】
【００１０】
上記課題は、以下の各発明によって解決される。
【００１１】
（請求項１）
発泡性合成樹脂材料により形成され、
道路上に設置された複数の道路標識柱がそれぞれ嵌入される複数の嵌入穴が下面部に設けられており、
前記複数の嵌入穴に前記複数の道路標識柱が嵌入されることにより、該複数の道路標識柱を包含する緩衝壁を構成することを特徴とする道路標識柱用緩衝材。
（請求項２）
前記発泡性合成樹脂材料は、発泡ウレタンであることを特徴とする請求項１記載の道路標識柱用緩衝材。
（請求項３）
前記発泡性合成樹脂材料には、耐候材料が配合されていることを特徴とする請求項１又は２記載の道路標識柱用緩衝材。
（請求項４）
前記嵌入穴の内径は、前記道路標識柱の外径よりも小さくなっており、
前記嵌入穴に前記道路標識柱が嵌入されたとき、該嵌入穴の周囲が弾性変形されていることを特徴とする請求項１、２又は３記載の道路標識柱用緩衝材。
（請求項５）
前記嵌入穴は、下方の開口端から上方に向けて徐々に内径が小さくなっており、少なくとも最上方部において前記道路標識柱の外径よりも内径が小さくなっており、
前記嵌入穴に前記道路標識柱が嵌入されたとき、該道路標識柱の上端側において、該嵌入穴の前記最上方部の周囲が弾性変形されていることを特徴とする請求項１、２又は３記載の道路標識柱用緩衝材。
（請求項６）
前記嵌入穴の内壁部と前記道路標識柱の外周面との間には、これらの間の空隙を埋めるジョイント材が配置されていることを特徴とする請求項１、２又は３記載の道路標識柱用緩衝材。
（請求項７）
前記緩衝壁の側面部には、車両の走行に関する有意の表示がなされていることを特徴とする請求項１〜６の何れかに記載の道路標識柱用緩衝材。
【発明の効果】
【００１２】
本発明によれば、高速道路の中央分離帯など、特に、橋梁上やトンネル内において、車両及び搭乗者に大きな損傷を与えずに、対向車線や路側帯への車両の進入を防止することができる道路標識柱用緩衝材を提供することができる。
【図面の簡単な説明】
【００１３】
【図１】本発明の実施形態の道路標識柱用緩衝材の斜視図
【図２】図１に示した道路標識柱用緩衝材の道路標識柱から離脱した状態を示す斜視図
【図３】図１に示した道路標識柱用緩衝材の嵌入穴を示す側面図
【図４】図１に示した道路標識柱用緩衝材の嵌入穴の他の例を示す側面図
【図５】図１に示した道路標識柱用緩衝材の嵌入穴のさらに他の例を示す側面図
【図６】図１に示した道路標識柱用緩衝材の使用状態を示す平面図
【図７】図１に示した道路標識柱用緩衝材の車両が衝突した状態を示す斜視図
【図８】本発明の道路標識柱用緩衝材の他の例を示す斜視図
【図９】道路標識柱の構成の他の例を示す横断面図
【発明を実施するための形態】
【００１４】
以下、本発明の実施の形態について、図面を参照しながら説明する。
【００１５】
〔道路標識柱用緩衝材の構成〕
図１は、本発明の実施形態の道路標識柱用緩衝材の斜視図である。
【００１６】
この道路標識柱用緩衝材１は、図１に示すように、発泡性合成樹脂材料により、一体的に略直方体形状に形成されている。道路標識柱用緩衝材１の大きさは特に限定されないが、例えば、長さＬが２．５〜３．０ｍ程度、厚さ（奥行き）Ｔが０．５〜１．０ｍ程度、高さＨが１．０〜１．５ｍ程度である。
【００１７】
発泡性合成樹脂材料としては、衝撃吸収性及び耐久性の点から発泡ウレタンが好ましいが、これに限定されず、種々の発泡性合成樹脂材料が適用可能である。
【００１８】
また、この道路標識柱用緩衝材１は、屋外に設置されるので、発泡性合成樹脂材料には耐候材料を配合しておくことが好ましい。耐候材料としては、光酸化防止剤（ヒンダードアミン系安定剤等）、紫外線吸収剤（ベンゾトリアゾール系紫外線吸収剤、液状紫外線吸収剤、トリアジン系紫外線吸収剤等）、光遮蔽剤（カーボンブラック、ホワイトカーボン、暗色系顔料等）などを用いることができる。
【００１９】
道路標識柱用緩衝材１には、下面部１０に複数の嵌入穴１００が設けられている。嵌入穴１００は、下面部１０から上面部１１に向けて、下面部１０に垂直に穿設されており、上面部１１の近傍に達している。嵌入穴１００の内径、長さ及び形状は、後述する道路標識柱２の外径、長さ及び形状に対応したものとなっている。
【００２０】
道路標識柱２としては、従来から設置されているものを好適に用いることができる。
【００２１】
このような所望の大きさ及び形状を有する嵌入穴１００は、道路標識柱用緩衝材１の全体とともに射出成形によって形成することができるが、切削加工によって設けてもよい。また、嵌入穴１００を有する道路標識柱用緩衝材１を射出成形によって形成した後に、切削加工によって嵌入穴１００の大きさ及び形状を調整してもよい。
【００２２】
嵌入穴１００の数は、本実施形態では３個になっているが、特に限定されず、１個以上であれば何個でもよい。なお、道路標識柱用緩衝材１の長さＬは、嵌入穴１００の数に比例して、嵌入穴１００の数が多ければ長く、嵌入穴１００の数が少なければ短くされる。
【００２３】
図２は、図１に示した道路標識柱用緩衝材の道路標識柱から離脱した状態を示す斜視図である。
【００２４】
複数の嵌入穴１００には、図１及び図２に示すように、道路上に設置された複数の道路標識柱２がそれぞれ嵌入される。各嵌入穴１００間の間隔は、各道路標識柱２間の間隔に一致している。この実施形態では、各道路標識柱２は、一直線上に一定間隔で設置されている。
【００２５】
複数の嵌入穴１００に複数の道路標識柱２が嵌入されることにより、図１に示すように、複数の道路標識柱２を包含する緩衝壁が構成される。道路標識柱２は、先端部から基部までの全体が嵌入穴１００内に嵌入されており、道路標識柱用緩衝材１の下面部１０は、全面が路面Ｇに接触している。
【００２６】
〔道路標識柱と道路標識柱用緩衝材との結合〕
図３は、図１に示した道路標識柱用緩衝材１の嵌入穴１００を示す側面図である。
【００２７】
この道路標識柱用緩衝材１においては、図３に示すように、嵌入穴１００の自然状態における内径Ｄ１００は、道路標識柱２の外径Ｄ２よりも小さくなっている。そして、嵌入穴１００に道路標識柱２が嵌入されたときには、嵌入穴１００の周囲は、弾性変形されて拡がっている。
【００２８】
このような弾性変形により、嵌入穴１００の内周面が道路標識柱２の外周面を締め付けて圧迫することになり、嵌入穴１００からの道路標識柱２の脱落が防止される。すなわち、風などの通常加わり得る力によっては、道路標識柱２から道路標識柱用緩衝材１が外れることが防止される。
【００２９】
図４は、図１に示した道路標識柱用緩衝材の嵌入穴の他の例を示す側面図である。
【００３０】
嵌入穴１００は、図４に示すように、下方の開口端から上方に向けて徐々に内径を小さくしてテーパー状にしてもよい。この場合には、少なくとも最上方部において、道路標識柱２の外径よりも嵌入穴１００の内径が小さくなるようにする。すると、嵌入穴１００に道路標識柱２が嵌入されたときには、道路標識柱２の上端側においては、嵌入穴１００の周囲が弾性変形されて拡がる。
【００３１】
このような弾性変形により、嵌入穴１００の内周面が道路標識柱２の上端側の外周面を締め付けて圧迫することになり、嵌入穴１００からの道路標識柱２の脱落が防止され、風などの通常加わり得る力によっては、道路標識柱２から道路標識柱用緩衝材１が外れることが防止される。
【００３２】
図５は、図１に示した道路標識柱用緩衝材の嵌入穴のさらに他の例を示す側面図である。
【００３３】
図５に示すように、嵌入穴１００の自然状態における内径Ｄ１００が、道路標識柱２の外径Ｄ２よりも大きくなっている場合には、嵌入穴１００の内壁部と道路標識柱２の外周面との間に、これらの間の空隙を埋めるジョイント材３を配置してもよい。ジョイント材３の内周部３０の内径Ｄ３０は、道路標識柱２の外径Ｄ２より小さくなっており、弾性材料により、平板状又は円筒状に形成されている。
【００３４】
また、ジョイント材３の外周部３１の外径Ｄ３１は、嵌入穴１００の自然状態における内径Ｄ１００とほぼ同等か大きいことが好ましい。
【００３５】
そして、ジョイント材３を介在させて嵌入穴１００に道路標識柱２を嵌入させたときには、ジョイント材３が弾性変形されて圧縮されるとともに、嵌入穴１００の周囲が弾性変形されて拡がる。
【００３６】
このような弾性変形により、嵌入穴１００の内周面がジョイント材３を介して道路標識柱２の外周面を締め付けて圧迫することになり、嵌入穴１００からの道路標識柱２の脱落が防止される。すなわち、風などの通常加わり得る力によっては、道路標識柱２から道路標識柱用緩衝材１が外れることが防止される。
【００３７】
〔道路標識柱用緩衝材の使用状態〕
図６は、図１に示した道路標識柱用緩衝材の使用状態を示す平面図である。
【００３８】
この道路標識柱用緩衝材１は、図６に示すように、高速道路４の中央分離帯などに複数個を配列させて設置することにより、対向車線や路側帯への走行車両５の進入を防止する効果がある。
【００３９】
道路標識柱用緩衝材１からなる緩衝壁の側面部１２には、車両の走行に関する有意の表示をすることができる。例えば、道路標識柱用緩衝材１の側面部１２には、反射シートを貼着することができる。反射シートは、道路標識柱用緩衝材１の側面部１２の一箇所又は複数箇所に貼着することができる。また、反射シートは、道路標識柱用緩衝材１の側面部１２の全周に亘って貼着してもよいし、特定の方向のみに貼着してもよい。
【００４０】
道路標識柱用緩衝材１の側面部１２には、反射シートではなく、反射塗料を塗布してもよい。
道路標識柱用緩衝材１の側面部１２に、貼着される反射シート及び塗布される反射塗料の色は、グレー又は金属色とすることが好ましい。従来の緑色や赤色の道路標識柱は、車両の衝突に対して殆ど抵抗力を有しない柔らかいものであると広く認識されているため、対向車線や路側帯への車両の進入を防止する道路標識柱用緩衝材１は、従来の道路標識柱と区別するために、グレー又は金属色とすることが好ましい。
【００４１】
図７は、図１に示した道路標識柱用緩衝材１の車両が衝突した状態を示す斜視図である。
【００４２】
この道路標識柱用緩衝材１は、道路標識柱２に対して十分な強度で固定されることにより、図７に示すように、走行車両５が衝突したときには、道路標識柱用緩衝材１が弾性変形し、さらには道路標識柱２から脱落する過程で、衝突力を吸収する。衝突した走行車両５は、複数個の道路標識柱用緩衝材１を弾性変形させ、又は道路標識柱２から脱落させる過程で、運動エネルギーを消費し、また、運動方向を曲げられるので、対向車線や路側帯への進入を阻止される。
【００４３】
また、道路標識柱用緩衝材１の弾性力により、衝突した走行車両５側の損傷は、最小限度に抑えられる。
【００４４】
この道路標識柱用緩衝材１は、道路標識柱２の設置のために穿設する支持孔の深さが、例えば、６０ｍｍ〜１００ｍｍ程度と浅くてよいので、橋梁上やトンネル内にも設置することができる。
【００４５】
このように、本発明は、高速道路の中央分離帯、橋梁上、トンネルなどにおいて、車両及び搭乗者に大きな損傷を与えずに、対向車線や路側帯への車両の進入を防止することができる道路標識柱用緩衝材１を提供することができる。
【００４６】
〔他の実施形態〕
図８は、本発明の道路標識柱用緩衝材の他の例を示す斜視図である。
【００４７】
本発明の道路標識柱用緩衝材１は、図８に示すように、既設の道路標識柱２が円弧上に配列されて設置されている場合には、この道路標識柱２の配列に沿って、湾曲した形状とすることができる。図８の例では、道路標識柱用緩衝材１は、円弧状に湾曲した壁体形状に形成されている。道路標識柱用緩衝材１の形状は、道路標識柱２の配列によって湾曲形状を適宜変更することができる。
【００４８】
図９は、道路標識柱の構成の他の例を示す横断面図である。
【００４９】
本発明の道路標識柱用緩衝材１が設置される道路標識柱２は、前述したような横断面（外形）形状が円形のもの（円柱形）に限定されず、図９（ａ）に示すように、横断面形状が正六角形のものでもよく、図９（ｂ）に示すように、三角形の稜線を面取りした略三角形状（横断面形状が六角形）のものでもよく、図９（ｃ）に示すように、横断面形状が正三角形のものでもよい。
【００５０】
いずれの場合も、嵌入穴１００は、道路標識柱２の横断面（外形）形状に対応した（同一の）横断面（内周）形状を有して形成される。
【符号の説明】
【００５１】
１：道路標識柱用緩衝材
１０：下面部
１１０：嵌入穴
１１：上面部
１２：側面部
２：道路標識柱
３：ジョイント材
４：高速道路
５：走行車両
Ｇ：路面
【図１】
2019085809.tif 000003
【図２】
2019085809.tif 000004
【図３】
2019085809.tif 000005
【図４】
2019085809.tif 000006
【図５】
2019085809.tif 000007
【図６】
2019085809.tif 000008
【図７】
2019085809.tif 000009
【図８】
2019085809.tif 000010
【図９】
2019085809.tif 000011